(57)【要約】【課題】自装置宛の信号を精度よく復調して、スループットを向上させること。【解決手段】基地局装置と通信する端末装置であって、前記基地局装置から下りリンク制御情報を受信する受信部と、前記下りリンク制御情報に干渉信号の送信電力に関する情報が含まれている場合、自装置宛の信号は第１の変調マッピングに基づいて復調し、干渉信号は第２の変調マッピングに基づいて復調する信号検出部と、を備える。【選択図】図８
2018064128.tif 000002
【特許請求の範囲】
【請求項１】
基地局装置と通信する端末装置であって、
前記基地局装置から下りリンク制御情報を受信する受信部と、
前記下りリンク制御情報に干渉信号の送信電力に関する情報が含まれている場合、自装置宛の信号は第１の変調マッピングに基づいて復調し、干渉信号は第２の変調マッピングに基づいて復調する信号検出部と、を備える端末装置。
【請求項２】
前記信号検出部は、前記干渉信号の復調結果に基づいて前記第１の変調マッピングを特定し、前記第１の変調マッピングに基づいて自装置宛の信号を復調する請求項１に記載の端末装置。
【請求項３】
前記下りリンク制御情報には干渉信号の変調方式に関する情報も含まれており、
前記信号検出部は、前記干渉信号の復調結果及び前記干渉信号の変調方式に関する情報に基づいて前記第１の変調マッピングを特定し、前記第１の変調マッピングに基づいて自装置宛の信号を復調する請求項１に記載の端末装置。
【請求項４】
端末装置と通信する基地局装置であって、
複数の端末装置を同一リソースで多重する場合に、各々の端末装置に対し異なる送信電力で送信信号を送信する送信部と、
前記送信電力が最小の端末装置は第１の変調マッピングによって変調し、他の端末装置は第２の変調マッピングによって変調する変調部と、
を備える基地局装置。
【請求項５】
前記第１の変調マッピングは、前記第２の変調マッピングの変調結果に基づいて決まる請求項４に記載の基地局装置。
【請求項６】
前記第１の変調マッピングは、前記第２の変調マッピングの変調方式及び変調結果に基づいて決まる請求項４に記載の基地局装置。
【請求項７】
基地局装置と通信する端末装置における通信方法であって、
前記基地局装置から下りリンク制御情報を受信する受信過程と、
前記下りリンク制御情報に干渉信号の送信電力に関する情報が含まれている場合、自装置宛の信号は第１の変調マッピングに基づいて復調し、干渉信号は第２の変調マッピングに基づいて復調する信号検出過程と、を備える通信方法。
【請求項８】
端末装置と通信する基地局装置における通信方法であって、
複数の端末装置を同一リソースで多重する場合に、各々の端末装置に対し異なる送信電力で送信信号を送信する送信過程と、
前記送信電力が最小の端末装置は第１の変調マッピングによって変調し、他の端末装置は第２の変調マッピングによって変調する変調過程と、
を備える通信方法。
【発明の詳細な説明】
【技術分野】
【０００１】
本発明は、端末装置、基地局装置、および通信方法に関する。
【背景技術】
【０００２】
近年、スマートフォンやタブレット端末の普及に伴い、モバイル伝送におけるトラフィックは、指数的に増大を続けており、今後もさらに増大することが予想されている。このような無線トラフィックの増大の対策の１つとして、基地局から遠い端末と近い端末を同一リソースに多重するＮＯＭＡ（Non-Orthogonal Multiple Access）が非特許文献１に記載されている。ＮＯＭＡを用いる基地局装置は、遠い端末には高電力と低レートのＭＣＳ（Modulation and Coding Scheme）を、近い端末には低電力と高レートのＭＣＳを割振り、それらに基づいて生成された変調信号を加算する。
【先行技術文献】
【非特許文献】
【０００３】
【非特許文献１】ＲＰ−１４２３１５、“Ｅｎｈａｎｃｅｄ  Ｍｕｌｔｉｕｓｅｒ  Ｔｒａｎｓｍｉｓｓｉｏｎ  ａｎｄ  Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ”、３ＧＰＰ  ＴＳＧ  ＲＡＮ  Ｍｅｅｔｉｎｇ  ＃６６，２０１４年１２月
【発明の概要】
【発明が解決しようとする課題】
【０００４】
しかしながら、ＮＯＭＡでは、複数の端末装置が同一リソースで多重されるため、干渉信号を除去又は抑圧し、自装置宛の信号を精度良く復調しなければならないという問題がある。
【０００５】
本発明はこのような事情を鑑みてなされたものであり、その目的は、自装置宛の信号を精度よく復調でき、スループットの向上が可能な端末装置、基地局装置、および通信方法を提供することにある。
【課題を解決するための手段】
【０００６】
上述した課題を解決するために本発明に係る端末装置、基地局装置、および通信方法の構成は、次の通りである。
【０００７】
（１）本発明の一態様による端末装置は、基地局装置と通信する端末装置であって、前記基地局装置から下りリンク制御情報を受信する受信部と、前記下りリンク制御情報に干渉信号の送信電力に関する情報が含まれている場合、自装置宛の信号は第１の変調マッピングに基づいて復調し、干渉信号は第２の変調マッピングに基づいて復調する信号検出部と、を備える。
【０００８】
（２）また、本発明の端末装置において、前記信号検出部は、前記干渉信号の復調結果に基づいて前記第１の変調マッピングを特定し、前記第１の変調マッピングに基づいて自装置宛の信号を復調する。
【０００９】
（３）また、本発明の端末装置において、前記下りリンク制御情報には干渉信号の変調方式に関する情報も含まれており、前記信号検出部は、前記干渉信号の復調結果及び前記干渉信号の変調方式に関する情報に基づいて前記第１の変調マッピングを特定し、前記第１の変調マッピングに基づいて自装置宛の信号を復調する。
【００１０】
（４）本発明の一態様による基地局装置は、端末装置と通信する基地局装置であって、複数の端末装置を同一リソースで多重する場合に、各々の端末装置に対し異なる送信電力で送信信号を送信する送信部と、前記送信電力が最小の端末装置は第１の変調マッピングによって変調し、他の端末装置は第２の変調マッピングによって変調する変調部と、を備える。
【００１１】
（５）また、本発明の基地局装置において、前記第１の変調マッピングは、前記第２の変調マッピングの変調結果に基づいて決まる。
【００１２】
（６）また、本発明の基地局装置において、前記第１の変調マッピングは、前記第２の変調マッピングの変調方式及び変調結果に基づいて決まる。
【００１３】
（７）本発明の一態様による通信方法は、基地局装置と通信する端末装置における通信方法であって、前記基地局装置から下りリンク制御情報を受信する受信過程と、前記下りリンク制御情報に干渉信号の送信電力に関する情報が含まれている場合、自装置宛の信号は第１の変調マッピングに基づいて復調し、干渉信号は第２の変調マッピングに基づいて復調する信号検出過程と、を備える。
【００１４】
（８）本発明の一態様による通信方法は、端末装置と通信する基地局装置における通信方法であって、複数の端末装置を同一リソースで多重する場合に、各々の端末装置に対し異なる送信電力で送信信号を送信する送信過程と、前記送信電力が最小の端末装置は第１の変調マッピングによって変調し、他の端末装置は第２の変調マッピングによって変調する変調過程と、を備える。
【発明の効果】
【００１５】
本発明によれば、端末装置は、伝送特性を改善することができる。
【図面の簡単な説明】
【００１６】
【図１】本実施形態に係る通信システムの例を示す図である
【図２】本実施形態における基地局装置の構成を示す概略ブロック図である。
【図３】本実施形態におけるＱＰＳＫの第２変調マッピングの例を示す図である。
【図４】本実施形態における１６ＱＡＭの第２変調マッピングの例を示す図である。
【図５】本実施形態における６４ＱＡＭの第２変調マッピングの例を示す図である。
【図６】本実施形態における第１の変調マッピングの例を示す図である。
【図７】本実施形態における第１の変調マッピングの例を示す図である。
【図８】本実施形態における端末装置の構成を示す概略ブロック図である。
【発明を実施するための形態】
【００１７】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００１８】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１９】
図１は、本実施形態に係る通信システムの例を示す図である。図１に示すように、本実施形態における通信システムは、基地局装置１、端末装置２−１、２−２を備える。端末装置２−１と２−２を併せて端末装置２とも称する。また、カバレッジ１−１は、基地局装置１が端末装置と接続可能な範囲（通信エリア）である。
【００２０】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２１】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００２２】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。
【００２３】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２４】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２５】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００２６】
ＰＲＡＣＨは、ランダムアクセスプリアンブルを送信するために用いられる。
【００２７】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００２８】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００２９】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００３０】
ＰＢＣＨは、端末装置２で用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００３１】
ＰＨＩＣＨは、基地局装置１が受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。
【００３２】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３３】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３４】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３５】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００３６】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００３７】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００３８】
また、上りリンクに対するＤＣＩフォーマットは、端末装置が基地局装置にフィードバックするチャネル状態情報報告(CSI feedback report, CSI reporting)をマップする上りリンクリソースを示す設定のために用いることができる。例えば、チャネル状態情報報告は、定期的（周期的）にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００３９】
例えば、チャネル状態情報報告は、不定期（非周期的）なチャネル状態情報（Aperiodic CSI）を報告する上りリンクリソースを示す設定のために用いることができる。チャネル状態情報報告は、不定期的にチャネル状態情報を報告するモード設定（CSI reporting mode）のために用いることができる。基地局装置１は、前記定期的なチャネル状態情報報告又は前記不定期的なチャネル状態情報報告のいずれかを設定することができる。また、基地局装置１は、前記定期的なチャネル状態情報報告及び前記不定期的なチャネル状態情報報告の両方を設定することもできる。
【００４０】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４１】
また、前記上りリンクに対するＤＣＩフォーマットにおいて、前記定期的なチャネル状態情報報告又は前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。
【００４２】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００４３】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４４】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４５】
また、ＰＤＳＣＨは、ＲＲＣメッセージを送信するために用いられる。ここで、基地局装置１から送信されるＲＲＣメッセージは、セル内における複数の端末装置２に対して共通であっても良い。また、基地局装置１から送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００４６】
ここで、ＲＲＣメッセージおよび／またはＭＡＣ  ＣＥを、上位層の信号（higher layer signaling）とも称する。
【００４７】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４８】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００４９】
ここで、下りリンク参照信号には、ＣＲＳ（Cell-specific Reference Signal;セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５０】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５１】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５２】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１によって設定される。基地局装置１は、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００５３】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５４】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００５５】
図２は、本実施形態における基地局装置の構成を示す概略ブロック図である。図２に示すように、基地局装置は、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、および、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００５６】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００５７】
上位層処理部１０１は、端末装置の機能（UE capability）等、端末装置に関する情報を端末装置から受信する。言い換えると、端末装置は、自身の機能を基地局装置に上位層の信号で送信する。
【００５８】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。例えば、その端末装置が所定の機能をサポートする場合、その端末装置が所定の機能をサポートするかどうかを示す情報、または、その端末装置が所定の機能に対する導入およびテストの完了を示す情報を送信する。その端末装置が所定の機能をサポートしない場合、その端末装置が所定の機能をサポートするかどうかを示す情報、または、その端末装置が所定の機能に対する導入およびテストの完了を示す情報を送信しない。すなわち、その端末装置が所定の機能をサポートするかどうかを示す情報、または、その端末装置が所定の機能に対する導入およびテストの完了を示す情報を送信するかどうかが、その端末装置が所定の機能をサポートするかどうかを示す。
【００５９】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００６０】
端末装置の機能には、非直交マルチアクセス（Non-Orthogonal Multiple Access：ＮＯＭＡ、ＭＵ（Multi-User）−ＮＡＩＣＳ（Network assisted Interference suppression and cancellation）、ＭＵ−ＩＣ (Interference Cancellation)、superposition coding）をサポートしているかどうかを示すパラメータを含めることができる。なお、所定のリリースにおける端末装置で、ＮＯＭＡのサポートが必須（Mandatory）とすることもできる。非直交マルチアクセスをサポートしている場合、非直交マルチアクセスに関する情報、つまり非直交マルチアクセスに関する下りリンク制御情報及び／又は非直交マルチアクセスに関する上位層での設定情報（アシスト情報）を受信できること、及び／又は、非直交マルチアクセスに関する情報を用いて同一リソースにおけるＰＤＳＣＨ干渉を除去または抑圧できることを示すことができる。
【００６１】
基地局装置１は、時間、周波数及び空間（例えば、アンテナポート、ビームパターン、プリコーディングパターン）でリソースを分割することなく複数の端末装置を多重することができる。以下では、基地局装置１が複数の端末装置宛ての信号を同一リソース内で多重した信号を、ＮＯＭＡ信号とも呼称し、基地局装置１がＮＯＭＡ信号を当該複数の端末装置宛てに送信することをＮＯＭＡ伝送とも呼称する。なお、基地局装置１は、複数端末が時間、周波数及び空間の一部又は全部のリソースで多重されるようにＮＯＭＡ伝送することができる。
【００６２】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。
【００６３】
無線リソース制御部１０１１は、送信モード（TM: Transmission mode）に関する情報を設定することができる。基地局装置１は、端末装置２のＵＥ  Ｃａｐａｂｉｌｉｔｙ（ＵＥの機能）に関する情報に基づき、送信モードの決定を行うことができる。例えば、送信モードは、ＳＩＳＯ（Single Input Single Output）伝送や、送信ダイバーシチ（Transmit Diversity）、ＭＩＭＯ（Multiple Input Multiple Output）伝送等を含むことができる。なおＵＥ  Ｃａｐａｂｉｌｉｔｙに関する情報は、端末装置から基地局装置に送信モードの設定前に通知される。
【００６４】
基地局装置１は、ＮＯＭＡ伝送を行うモードを設定することができる。無線リソース制御部１０１１は、ＮＯＭＡをサポートしている端末装置２に対して、ＮＯＭＡ伝送に対応する送信モード（以下、ＮＯＭＡモードとも呼称）に関する情報を生成することができる。また、ＮＯＭＡモードは、送信モードとして設定されるのではなく、ブラインドデコーディング回数などの情報として通知されても良い。ＮＯＭＡモードに関する情報は、例えば、上位層の信号及び／又は下りリンク制御情報として送信される。端末装置２は、ＮＯＭＡモードが設定されている場合、ＮＯＭＡモードに関する情報を用いて干渉信号を除去または抑圧する。
【００６５】
また、基地局装置１は、送信モードに関わらず（つまりＮＯＭＡモードでもＮＯＭＡモード以外の送信モードでも）、ＮＯＭＡに関する情報（アシスト情報、補助情報、制御情報、設定情報）を端末装置に送信しても良い。ＮＯＭＡに関する情報は、上位層の信号及び／又は物理層の信号で送信される。ＮＯＭＡに関する情報は、ＰＡに関する情報、送信モード、干渉信号のＰＤＳＣＨの送信電力に関する情報、ＰＭＩ、サービングセルのＰＡに関する情報、変調方式、ＭＣＳ、リダンダンシーバージョン、ＲＮＴＩ（Ｒａｄｉｏ  Ｎｅｔｗｏｒｋ  Ｔｅｍｐｏｒａｒｙ  Ｉｄｅｎｔｉｆｉｅｒ）、ＤＣＩのブラインドデコーディング回数に関する情報（または、ＤＣＩのビット数等のサイズに関する情報等）、変調マッピング情報の一部または全部が含まれる。なお、ＰＡは、ＣＲＳが配置されていないＯＦＤＭシンボルにおけるＰＤＳＣＨとＣＲＳの送信電力比（電力オフセット）である。送信モードは、干渉信号の送信モードやサービングセルが設定できる（設定する可能性のある）送信モードの候補など、端末装置が干渉信号の送信モードを知る（検出する）ためのアシスト情報である。また、変調マッピングについては後述する。また、変調方式は、自装置宛の変調方式及び／又は干渉信号の変調方式及び／又は複合変調方式を示す。複合変調方式は、自装置宛の変調方式と干渉信号変調方式を合わせた変調方式である。例えば、自装置宛の変調方式がＱＰＳＫで干渉信号の変調方式がＱＰＳＫの場合、複合変調方式は１６ＱＡＭとなる。また例えば、自装置宛の変調方式が１６ＱＡＭで干渉信号の変調方式がＱＰＳＫの場合、複合変調方式は６４ＱＡＭとなる。なお、複合変調方式で生成される変調シンボルを複合変調シンボルとも呼称する。
【００６６】
なお、上記の例では、無線リソース制御部１０１１が、ＮＯＭＡモードに関する情報を生成するものとして説明を行ったが、本実施形態はこれに限定されない。例えば、スケジューリング部１０１２がＮＯＭＡモードに関する情報を生成することもできる。スケジューリング部１０１２がＮＯＭＡモードに関する情報を生成する方法は、後述する。
【００６７】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定することができる。スケジューリング部１０１２は、ＮＯＭＡをサポートする端末装置の有無を考慮してスケジューリングを行うことができる。例えば、基地局装置の近くにいる端末装置２−２がＮＯＭＡをサポートしている場合、基地局装置は端末装置２−２と基地局装置の遠くにいる端末装置２−１への通信を同じリソースで行うようにスケジューリングを行うことができる。基地局装置がＮＯＭＡを行うか否かの指標は、距離に限らず、端末装置からフィードバックされるＣＱＩ、ＰＭＩ、ＲＩ等とすることができる。また、基地局装置は、端末装置２−１と２−２の両方がＮＯＭＡをサポートしている場合にのみ、端末装置２−１と２−２にＮＯＭＡを行うこともできる。
【００６８】
スケジューリング部１０１２は、ＮＯＭＡモードに関する情報を生成することもできる。例えば、同一リソースに端末装置２−１〜２を割り当てた場合、スケジューリングに用いられる情報（例えばリソース割当て情報）が、ＮＯＭＡモードに関する情報となることができる。つまり、基地局装置１は、端末装置２のＮＯＭＡに関する情報にリソース割当て情報を含めることができる。また、スケジューリング部１０１２は、スケジューリングに用いられる情報以外の情報を、ＮＯＭＡモードに関する情報又はＮＯＭＡに関する情報に含めることができる。スケジューリング部１０１２は、ＮＯＭＡモードに関する情報又はＮＯＭＡに関する情報を、リソースブロック（または、トランスポートブロックでも良いし、それ以外のリソースの集合でも良い）ごとに個別に生成しても良いし、端末装置２ごとに個別に生成しても良い。つまり、基地局装置１は、リソースブロック毎のＮＯＭＡに関する情報を下りリンク制御情報に含めて送信することができる。また、基地局装置１は、端末装置２に対して複数のリソースブロックを送信する場合、１つのリソースブロックに対してのみＮＯＭＡに関する情報を含めることができる。つまり、端末装置２は、リソースブロック毎にＮＯＭＡに関する情報を受信し、ＮＯＭＡに関する情報を受信したリソースブロックに対する干渉信号を除去または抑圧する。
【００６９】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００７０】
例えば、基地局装置１が端末装置２−２にＮＯＭＡモードに関する情報を送信している場合でも、ＮＯＭＡ伝送以外の伝送方法を用いて、基地局装置１と端末装置２−２が通信をすることができる。つまり、基地局装置１と端末装置２−２の通信において、基地局装置１がリソースブロックごとにＮＯＭＡ伝送と、ＮＯＭＡ以外の伝送方法を使用することができる。この場合、端末装置２−２は、自端末装置宛に割り当てられるリソースブロックごとに受信処理方法の変更を行う。
【００７１】
なお、基地局装置１が同一リソースに端末装置２−１〜２を割り当てた場合でも、端末装置２はそれぞれ自端末装置宛てのスケジューリングに関する情報のみ取得することもできる。端末装置２が、スケジューリングに関する情報を、ＮＯＭＡモードに関する情報として使用するためには、端末装置２のうち、少なくともＮＯＭＡをサポートしている端末装置（例えば、端末装置２−２）は、端末装置２−１〜２宛のスケジューリングに関する情報を取得することが好適である。基地局装置１は、端末装置２−２宛のスケジューリングに関する情報に、端末装置１宛てのスケジューリングに関する情報を含めることができる。また、基地局装置１は、端末装置２−１〜２宛のスケジューリングに関する情報を復号するために必要な情報（例えば、ＲＮＴＩ（Radio Network Temporary Identifier）等）を、端末装置２に送信することができる。
【００７２】
例えば、端末装置２−２がＮＯＭＡをサポートしており、端末装置２−１がＮＯＭＡをサポートしていない場合に、無線リソース制御部１０１１は、ＮＯＭＡをサポートしている端末装置２−２にのみ、ＮＯＭＡ送信モードに関する情報／ＮＯＭＡに関する情報を生成することができる。また、無線リソース制御部１０１１は、端末装置２−１のために、ＮＯＭＡモード以外の送信モードに関する情報を生成することができる。
【００７３】
基地局装置１は、ＮＯＭＡモードが設定されている場合及び／又はＮＯＭＡに関する情報が設定されている場合、端末装置２−１及び端末装置２−２宛の信号を同一リソースで加算してから送信することができる。基地局装置１は、端末装置２−１及び端末装置２−２宛の信号（変調シンボル）はそれぞれ、ビットと変調シンボルのマッピングルールである変調マッピングに従って生成することができる。端末装置２は、ＮＯＭＡモードが設定されている場合及び／又はＮＯＭＡに関する情報が設定されている場合、変調マッピングに基づいて復調及び／又は干渉除去を行うことができる。
【００７４】
また、基地局装置１は、ＮＯＭＡモードが設定されている及び／又はＮＯＭＡに関する情報が設定されている端末装置２に対して、ＮＯＭＡモードが設定されている及び／又はＮＯＭＡに関する情報が設定されていない場合とは異なる変調マッピングで変調シンボルを生成することができる。また、基地局装置１は、変調マッピング情報を送信する場合又は変調マッピング情報が異なる変調マッピングを示す場合、変調マッピング情報を送信しない場合又は変調マッピング情報が異なる変調マッピングを示さない場合とは異なる変調マッピングで変調シンボルを生成することができる。なお、ＮＯＭＡモードが設定されている及び／又はＮＯＭＡに関する情報が設定されている場合、もしくは、変調マッピング情報を送信する場合又は変調マッピング情報が異なる変調マッピングを示す場合の変調マッピングを第１の変調マッピングとも呼称する。また、ＮＯＭＡモードが設定されていない及び／又はＮＯＭＡに関する情報が設定されていない場合、もしくは、変調マッピング情報を送信しない場合又は変調マッピング情報が異なる変調マッピングを示さない場合の変調マッピングを第２の変調マッピングとも呼称する。また、第１の変調マッピングで生成される変調シンボルを第１の変調シンボルとも呼称し、第２の変調マッピングで生成される変調シンボルを第２の変調シンボルとも呼称する。また、第１の変調マッピングは、複数の端末装置宛のビットを合わせた変調マッピングとすることができる。また、端末装置２は、ＮＯＭＡモードが設定されている及び／又はＮＯＭＡに関する情報が設定されている場合、第１の変調マッピングに基づいて復調を行い、ＮＯＭＡモードが設定されていない及び／又はＮＯＭＡに関する情報が設定されていない場合、第２の変調マッピングに基づいて復調を行うことができる。また、端末装置２は、変調マッピング情報を受信する場合又は変調マッピング情報が異なる変調マッピングを示す場合、第１の変調マッピングに基づいて復調を行い、変調マッピング情報を受信しない場合又は変調マッピング情報が異なる変調マッピングを示さない場合、第２の変調マッピングに基づいて復調を行う。なお、変調マッピング情報は、変調マッピングに関する情報であり、例えば、第１の変調マッピングであることを示す情報、第１の変調マッピングか第２の変調マッピングを示す情報、である。
【００７５】
また、端末装置２は、変調マッピング情報によって、干渉信号の除去又は抑圧をするかしないかを判断することができる。例えば、端末装置２が第１の変調マッピングを示す情報を受信した場合、干渉信号の除去または抑圧を行うことができる。
【００７６】
なお、図３はＱＰＳＫの第２の変調マッピングの例、図４は１６ＱＡＭの第２の変調マッピングの例、図５は６４ＱＡＭの第２の変調マッピングの例である。
【００７７】
また、基地局装置１は、所定の下りリンク制御情報フォーマットの場合と所定の下りリンク制御情報フォーマット以外の下りリンク制御情報フォーマットの場合とで、異なる変調マッピングに基づいて変調シンボルを生成することができる。端末装置は、所定の下りリンク制御情報フォーマットの場合と所定の下りリンク制御情報フォーマット以外の下りリンク制御情報フォーマットの場合とで、異なる変調マッピングに基づいて復調及び／又は干渉除去を行うことができる。なお、所定の下りリンク制御情報フォーマットとは、ＮＯＭＡモードに関連付けられた、ＮＯＭＡモード専用のＤＣＩフォーマットでも良いし、ＤＣＩフォーマット１Ｃなどを用いてＮＯＭＡに関する情報を通知するＤＣＩフォーマットでも良い。
【００７８】
また、基地局装置１は、第２の変調シンボルにあるルール（式）を適用して、第１の変調シンボルを生成することができる。例えば、基地局装置１は、ＮＯＭＡ伝送する他装置宛の第２の変調シンボルに基づいて第１の変調マッピングを求め、第１の変調シンボルを生成することができる。このとき端末装置２は、検出した他装置宛の第２の変調シンボルに基づいて第１の変調シンボルを復調することができる。
【００７９】
上位層処理部１０１は、第１の変調シンボルを復調するための情報を生成することができる。端末装置２は、受信した第１の変調シンボルを復調するために、端末装置２−１〜２に割り当てられるＭＣＳに関する情報と、基地局装置１が使用した第１の変調マッピングの方法に関する情報と、端末装置２−１〜２に割り当てられる電力（あるいは電力比）に関する情報の一部あるいは全部を有することが好適である。つまり、基地局装置１は、端末装置２−１〜２に割り当てられるＭＣＳに関する情報と、基地局装置１が使用した第１の変調マッピングの方法に関する情報と、端末装置２−１〜２に割り当てられる電力に関する情報の一部あるいは全部を端末装置２に通知することが好適である。あるいは、基地局装置１と端末装置２は、共通の、端末装置２−１〜２に割り当てられるＭＣＳに関する情報と、基地局装置１が使用した第１の変調マッピングの方法に関する情報と、端末装置２−１〜２に割り当てられる電力に関する情報の一部あるいは全部を有することが好適である。
【００８０】
上位層処理部１０１は、変調マッピングに関する情報を生成することができる。変調マッピングに関する情報は、基地局装置１が使用した変調マッピング方法を示す情報である。基地局装置１は、変調マッピングに関する情報を、端末装置２に通知することができる。
【００８１】
制御部１０２は、上位層処理部１０１から入力された情報に基づいて、送信部１０３および受信部１０４の制御を行なう制御信号を生成する。また、制御部１０２は、上位層処理部１０１から入力された情報に基づいて、ＭＣＳを決定する。また、制御部１０２は、上位層処理部１０１から入力された情報に基づいて、コードワード数を決定する。また、制御部１０２は、上位層処理部１０１から入力された情報に基づいて、レイヤ数、アンテナポート番号、スクランブリングアイデンティティ（スクランブリング識別子、scrambling identity）を決定する。
【００８２】
制御部１０２は、上位層処理部１０１から入力された情報に基づいて、下りリンク制御情報を生成し、送信部１０３に出力する。基地局装置がプライマリセルである場合は、セカンダリセルの上位層の設定情報を下りリンク制御情報に含めても良い。
【００８３】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。なお、基地局装置は、第２のフレーム構造を用いる場合、少なくともＰＤＳＣＨを多重し、下りリンク制御情報を多重しないようにすることができる。また、第２のフレーム構造では、第１のフレーム構造と比べて、下りリンク参照信号の周波数間隔／時間間隔を広くすることができる。また、基地局装置は、第２のフレーム構造に割り当てた信号の制御情報は、第１のフレーム構造を用いて送信することができる。
【００８４】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。
【００８５】
変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。あるリソースエレメントに割り当てられるビット数をＮ、ビットをｂ０、・・・、ｂＮ−１とすると、ＱＰＳＫ以上の変調方式で生成できる第２の変調シンボルｓは次式（１）から（３）のように生成されることができる。
【００８６】
【数１】
2018064128.tif 000003
【００８７】
ただし、Ｎは１より大きい偶数である。Ｒｅ［ｓ］とＩｍ［ｓ］はそれぞれ、ｓの実部と虚部を表す。また、Ｎ＝１の場合、すなわちＢＰＳＫの場合はｓ＝１−ｂ０となる。図３は、式（１）から（３）で生成できるＱＰＳＫ（Ｎ＝２）を示した図である。図４は、式（１）から（３）で生成できる１６ＱＡＭ（Ｎ＝４）を示した図である。図５は、式（１）から（３）で生成できる６４ＱＡＭ（Ｎ＝６）を示した図である。
【００８８】
変調部１０３２が生成する第１の変調シンボルの一例を説明する。以下では、第１の変調シンボルは、第１の変調マッピングと第２の変調マッピングを用いて生成される端末装置２−１〜２両方宛てのビットを含む変調シンボルであっても良いし、第１の変調マッピングと第２の変調マッピングを用いて生成される端末装置２−１〜２のいずれか一方へのビットを含む変調シンボルであっても良い。以下では、例として、複合ビットを含む第１の変調シンボルの生成例を示す。端末装置２−１へのビット数をＮ１、端末装置２−２へのビット数をＮ２とする。ｂ０、・・・、ｂＮ１−１を端末装置２−１へのビットとし、ｂＮ１、・・・、ｂＮ１＋Ｎ２−１を端末装置２−２へのビットとする。ＮＯＭＡで多重される１つのリソースエレメントの全ての端末装置２へのビットを合わせたものを複合ビットとも称する。つまり、基地局装置１は、ＮＯＭＡモードが設定されている及び／又はＮＯＭＡに関する情報が設定されている場合、もしくは、変調マッピング情報が第１の変調マッピングを示す場合、端末装置２−１宛及び端末装置２−２宛のビットを合わせて変調シンボルを生成することができる。言い換えると、基地局装置１は、端末装置２−２には端末装置２−１宛及び端末装置２−２宛を合わせた複合変調シンボルを送信し、端末装置２−１には端末装置２−１宛の変調シンボルを送信することができる。端末装置２−２は、ＮＯＭＡモードが設定されている及び／又はＮＯＭＡに関する情報が設定されている場合、もしくは、変調マッピング情報が第１の変調マッピングを示す場合、複合ビットのうち一部が自装置宛のビット、残りが他装置宛のビットと判断し、復調することができる。
【００８９】
例えば、第１の変調シンボルｓは次式（４）、（５）で生成されることができる。
【００９０】
【数２】
2018064128.tif 000004
【００９１】
ただし、ｐ１とｐ２はそれぞれ、端末装置２−１と端末装置２−２へ割り振る電力又は電力の比率又は電力オフセットを示しており、ここではｐ１＋ｐ２＝１とする。このように生成することで、ビット全体としてグレイ符号と同様の変調マッピングとすることができ、伝送特性を改善することができる。また、端末装置２−１が基地局装置から遠い端末装置であるため、ｐ１に大きい値を設定することで、端末装置２−１における伝送特性を改善することができる。図６は、式（４）から（５）により生成される第１の変調マッピングの一例であって、端末装置２−１へはＱＰＳＫ、端末装置２−２へは１６ＱＡＭを割り当てた場合の図である。最初の２ビットが端末装置２−１宛、残りの４ビットが端末装置２−２宛である。ある変調点とその隣の変調点が１ビットしか異ならないグレイ符号となっているため、伝送特性を改善することができる。また、図６と図５とを比較すると、ビットの割り当てが同一となっているため、変調マッピングを知っていれば、第２の変調マッピングの場合とほぼ同様の処理で復調することができる。なお、各端末装置２へのビットの割り当て順序は、限定しない。例えば、第１ビットと第４ビットが端末装置２−１宛てであり、それ以外の４ビットを端末装置２−２宛てとすることもできるし、それ以外の順序とすることもできる。
【００９２】
なお、図７は、第１の変調マッピングの別の一例を示す図である。図６と図７は、それぞれ異なるマッピングが施されているが、双方ともグレイ符号となっている。例えば、図６と図７に示す第１の変調マッピングの最初の２ビットは、端末装置２−１へのＱＰＳＫ変調シンボルの割り当てを示しているが、それぞれの変調シンボルの割り当て位置が異なる。このように、本発明に係る第１の変調マッピングは、グレイ符号の性質を満たしていれば良く、第１の変調マッピングは複数存在する。
【００９３】
変調部１０３２がＮＯＭＡ伝送のための第１の変調シンボルを生成する方法は、式（４）、（５）に基づく方法に限定されない。以下では、変調部１０３２がＮＯＭＡ伝送のための第１の変調シンボルを生成する、別の方法について説明を行う。
【００９４】
以下では、基地局装置１が、ＮＯＭＡ伝送する場合に、端末装置２−１にＱＰＳＫを割り当て、端末装置２−２宛てに１６ＱＡＭを割り当てた場合を一例として説明する。まず、変調部１０３２は、図３に示す、端末装置２−１宛てのＱＰＳＫ変調点それぞれに対して、図４に示す、端末装置２−２宛ての１６ＱＡＭ変調点を多重し、変調シンボル１０３２ａを生成することを仮定する。変調部１０３２が生成した変調シンボル１０３２ａは、図５に示す変調シンボルと同様の構成となる。
【００９５】
変調シンボル１０３２ａは、隣接する変調シンボル点のビット割り当てが、グレイ符号の要件を満たしていない（隣接する変調シンボル点のハミング距離が全て１でない）。変調部１０３２は、変調シンボル１０３２ａの４つの象限それぞれに対して異なる操作を施すことにより、グレイ符号の要件を満たす変調シンボルを生成することができる。例えば、変調部１０３２は、第１象限（例えば、右上の象限）を、第１象限の１６点の変調点の中心を基準として、点対称移動を実施することで、変調シンボル点（００１１１１）が最も中心に近い変調シンボル構成を得ることができる。同様に、変調部１０３２は、それぞれの象限の１６点の変調点の中心を基準として点対称移動を実施することで、変調シンボル１０３２ｂを生成する。別の方法では、基地局装置１は、端末装置２−２に対して、端末装置２−１宛の変調方式（つまり第２の変調マッピング）に基づいた第１の変調シンボルを生成することができる。まず端末装置２−１宛の変調シンボル点のうち基準シンボル点を設定する。ここでは端末装置２−１宛はＱＰＳＫとしているので、例えば基準シンボル点は（００）とする。基準シンボル点と端末装置２−１に送信する変調シンボル点をビット毎に排他的論理和を取る。例えば、端末装置２−１に送信する変調シンボル点が（１０）の場合、ビット毎の排他的論理和は（１０）となる。なお、ＱＰＳＫの場合で基準シンボル点を（００）とした場合は、送信する変調シンボル点がビット毎の排他的論理和となるので、排他的論理和を計算する必要はない。排他的論理和の結果１となっているビットに対応する第２の変調シンボル点のビットを反転すれば第１の変調シンボル点となる。例えば、排他的論理和の結果が（１０）だったとする。図４の例では、１６ＱＡＭのうちＱＰＳＫに対応するのは第１、２ビットであるので、排他的論理和の結果（１０）により、１６ＱＡＭの第１ビットを反転する。ＱＰＳＫのシンボル点とビット反転した１６ＱＡＭシンボル点を合わせて複合変調シンボル点となる。このような操作を全てのシンボル点で行うと、図７のようになり、変調シンボル１０３２ｂはグレイ符号の要件を満たすことができる。
【００９６】
基地局装置１は、端末装置２−２にＮＯＭＡを行ったこと及び／又は干渉除去又は抑圧が必要なことを示す信号を送信することができる。基地局装置１は、端末装置２−２にｐ１とｐ２の両方又はいずれか又はｐ１とｐ２の比（オフセット）を通知することができる。端末装置２−２は、基地局装置１からＮＯＭＡを行ったこと及び／又は干渉除去又は抑圧が必要なことを示す信号を受信し、当該信号に基づき適切に自装置宛のビットを復調することできる。
【００９７】
下りリンク参照信号生成部１０３３は、基地局装置１を識別するための物理セル識別子（ＰＣＩ）などを基に予め定められた規則で求まる、端末装置２が既知の系列を下りリンク参照信号として生成する。また、下りリンク参照信号生成部１０３３は、スクランブリングアイデンティティに基づいて端末固有参照信号を生成することができる。下りリンク参照信号生成部１０３３は、ＮＯＭＡを行う端末装置２−１と端末装置２−２用に異なる端末固有参照信号を生成することができる。その際、端末装置２−１への端末固有参照信号にはｐ１の平方根を乗算することができる。これにより、端末装置２−１はｐ１を知らなくても自分宛のビットを復調することができる。また、端末装置２−２への端末固有参照信号にはｐ２の平方根を乗算することができる。これにより、端末装置２−２が前記端末固有参照信号の電力を測定し、通常より小さいことを検出したら、端末装置２−２は、ＮＯＭＡ伝送されていると判断することができる。その場合、式（４）と（５）で生成された変調シンボルに基づいて自分宛てのビットを復調することができる。
【００９８】
なお、基地局装置１は、ｐ１とｐ２のいずれかを０とし、その情報を端末装置２に送信することで、瞬時的にＮＯＭＡを行わなかったことを知らせるようにしてもよい。基地局装置１は、ｐ１を０に設定した場合、第２の変調マッピングに基づいて変調シンボルを生成することができる。この場合、端末装置２は、ＮＯＭＡモードが設定されている場合及び／又はＮＯＭＡに関する情報が設定されている場合であっても、干渉電力が０であること受信又は検出した場合、干渉信号の除去または抑圧は行わない。また、端末装置２−２は第１の変調マッピングを示す情報を受信した場合であっても、干渉電力が０であること受信又は検出した場合、第２の変調マッピングに基づいて復調することができる。
【００９９】
下りリンク参照信号生成部１０３３が、ＮＯＭＡを行う端末装置２−１と２−２用に同一の端末固有参照信号を送信する場合、基地局装置１は端末装置２−１にｐ１とｐ２の両方またはいずれかを通知することができる。このようにすることで、端末装置２−１は、適切に自分宛のビットを復調することできる。
【０１００】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１０１】
無線送信部１０３５は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにサイクリックプリフィックス（Cyclic Prefix: CP）を付加し、ベースバンドのディジタル信号を生成する。無線送信部１０３５は、フィルタリング、ＤＡ（Digital-to-Analog）変換、周波数変換、電力増幅等を用いることで、生成したベースバンドのディジタル信号を所望帯域のアナログ信号に変換する。無線送信部１０３５は、生成したアナログ信号を送受信アンテナ１０５に出力して送信する。
【０１０２】
受信部１０４は、制御部１０２から入力された制御信号に従って、送受信アンテナ１０５を介して端末装置２から受信した受信信号を分離、復調、復号し、復号した情報を上位層処理部１０１に出力する。
【０１０３】
無線受信部１０４１は、周波数変換、フィルタリング、ＡＤ（Analog-to-Digital）変換、振幅制御等を用いることで、送受信アンテナ１０５を介して受信された上りリンクの信号をベースバンドのディジタル信号に変換する。
【０１０４】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０５】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【０１０６】
また、多重分離部１０４２は、ＰＵＣＣＨとＰＵＳＣＨの伝搬路の補償を行なう。また、多重分離部１０４２は、上りリンク参照信号を分離する。
【０１０７】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。なお、逆離散フーリエ変換は、ＰＵＳＣＨのサブキャリア数に応じた逆高速フーリエ変換であってもよい。
【０１０８】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０９】
図８は、本実施形態における端末装置の構成を示す概略ブロック図である。図８に示すように、端末装置は、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、およびスケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１１０】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１１】
上位層処理部２０１は、自端末装置がサポートしている端末装置の機能を示す情報を、送信部２０３に出力する。
【０１１２】
上位層処理部２０１がＮＯＭＡモードに関する情報を参照し、端末装置２はＮＯＭＡを設定される／またはＮＯＭＡ以外のモードを設定されることができる。
【０１１３】
上位層処理部２０１は、端末装置２がどの変調マッピングを用いて復調するか決定する機能を有する。例えば、ＮＯＭＡが設定されている端末装置２は、端末装置２−１〜２に割り当てられるＭＣＳに関する情報を参照し、当該端末装置２のＭＣＳが大きい場合に、第１の変調マッピングに基づき、復調を行うよう設定され、当該端末装置２のＭＣＳが小さい場合に、第２の変調マッピングに基づき、復調を行うよう設定されることができる。
【０１１４】
また、別の方法では、ＮＯＭＡが設定されている端末装置２は、端末装置２−１〜２に割り当てられる電力に関する情報を参照し、当該端末装置２の電力が大きい場合に、第１の変調マッピングに基づき、復調を行うよう設定され、当該端末装置２の電力が小さい場合に、第２の変調マッピングに基づき、復調を行うよう設定されることができる。
【０１１５】
また、別の方法では、ＮＯＭＡが設定されている端末装置２は、マッピング方法に関する情報を参照し、基地局装置１が第１の変調マッピングを使用している場合に、第１の変調マッピングに基づき、復調を行うよう設定され、基地局装置１が第２の変調マッピングを使用している場合に、第２の変調マッピングに基づき、復調を行うよう設定されることができる。
【０１１６】
また、別の方法では、ＮＯＭＡが設定されている端末装置２は、第１の変調マッピングに基づき、復調を行うよう設定されることができる。
【０１１７】
また、別の方法では、ＮＯＭＡが設定されている端末装置２は、自分宛てに割り当てられた電力とＮＯＭＡ多重される端末装置２宛てに割り当てられた電力に関する情報であるｐ１とｐ２の値を取得し、自分宛てに割り当てられた電力が小さい場合に、第１の変調マッピングを用いて、復調を行うよう設定され、自分宛てに割り当てられた電力が大きい場合に、第２の変調マッピングを用いて復調を行うよう設定されることができる。
【０１１８】
また、別の方法では、ＮＯＭＡが設定されている端末装置２は、基地局装置１からＮＯＭＡ用のＤＣＩフォーマットを復号することを設定された場合に（またはＮＯＭＡ用のＤＣＩフォーマットに対応するビット数のＤＣＩを復調するように設定された場合に）、第１の変調マッピングを用いて、復調を行うよう設定され、基地局装置１から、ＮＯＭＡ専用のＤＣＩフォーマット以外のＤＣＩフォーマットを復号することを設定された場合に、第２の変調マッピングを用いて、復調を行うよう設定されることもできる。
【０１１９】
また、別の方法では、ＮＯＭＡが設定されている端末装置２は、ＤＣＩにより第１の変調マッピング、または第２の変調マッピングを用いて復調されることを設定されることもできる。
【０１２０】
無線リソース制御部２０１１は、自端末装置の各種設定情報の管理をする。また、無線リソース制御部２０１１は、上りリンクの各チャネルに配置される情報を生成し、送信部２０３に出力する。
また、無線リソース制御部２０１１は、基地局装置１から得られるＮＯＭＡモードに関する情報を取得し、判断部２０１３に出力することができる。
【０１２１】
スケジューリング情報解釈部２０１２は、受信部２０４を介して受信した下りリンク制御情報を解釈し、スケジューリング情報を判定する。スケジューリング情報解釈部２０１２は、自身宛のリソースエレメントでＮＯＭＡが行われているか否かを判断することができる。また、スケジューリング情報解釈部２０１２は、スケジューリング情報に基づき、受信部２０４、および送信部２０３の制御を行なうために制御情報を生成し、制御部２０２に出力する。
【０１２２】
制御部２０２は、上位層処理部２０１から入力された情報に基づいて、受信部２０４、および送信部２０３の制御を行なう制御信号を生成する。制御部２０２は、生成した制御信号を受信部２０４、および送信部２０３に出力して受信部２０４、および送信部２０３の制御を行なう。制御部２０２は、端末情報等を含む上りリンク制御情報および上りリンクデータを送信部２０３に出力する。ここで、端末情報は端末装置がＮＯＭＡの信号を復調する機能を有するか否かを示す情報を含む。
【０１２３】
また、スケジューリング情報解釈部２０１２は、基地局装置１が送信したＮＯＭＡモードに関する情報を取得し、判断部２０１３に出力することができる。
【０１２４】
スケジューリング情報解釈部２０１２は、自端末装置が割り当てられた無線リソースにおいて、他端末装置が重複して割り当てられている場合に、基地局装置１が当該無線リソースを、ＮＯＭＡ伝送していると判断することができ、ＮＯＭＡモードに関する情報として、ＮＯＭＡ伝送されていることを示す情報を判断部２０１３に出力することができる。
【０１２５】
判断部２０１３は、無線リソース制御部２０１１、またはスケジューリング解釈部２０１２が出力するＮＯＭＡモードに関する情報を取得する。判断部２０１３は、取得したＮＯＭＡモードに関する情報に基づき、基地局装置１がＮＯＭＡ伝送を用いてＰＤＳＣＨを送信しているか、判断する（以下、ＮＯＭＡ判断情報とも呼称する）。判断部２０１３は、ＮＯＭＡ判断情報を受信部２０４に出力することができる。
【０１２６】
例えば、端末装置２は、ＮＯＭＡ判断情報を用いて、ＮＯＭＡ信号としてＰＤＳＣＨを復調するか判断することができる。その他に例えば、ＮＯＭＡ判断情報は、基地局装置１がＮＯＭＡ伝送をしているかどうかを示す１ビットの情報であることもできる。ＮＯＭＡ判断情報は、例えば、リソースの集合ごと設定されていても良い。さらに、ＮＯＭＡモードにおいてＤＣＩが基地局装置から端末装置に通知されるが、ＵＥ固有のサーチスペースで当該ＤＣＩを検出した場合は、ＮＯＭＡ信号が送信されていると判断部が判断し、当該ＤＣＩが指定するＰＤＳＣＨに対して信号検出を行うこともできる。
【０１２７】
また、端末装置２がＮＯＭＡ信号としてＰＤＳＣＨを復調する処理は、他端末装置宛ての信号（以下、干渉信号とも呼称）を除去（キャンセル、抑圧）することを含む。端末装置２が干渉信号を除去する方法は、例えば、干渉信号の復調結果によって干渉除去を行うＳＬＩＣ（Symbol Level Interference Cancellation）、干渉信号の復号結果によって干渉除去を行うＣＷＩＣ（Codeword Level Interference Cancellation）、送信信号候補の中から最もそれらしいものを探索する最尤検出（MLD: Maximum Likelihood Detection）等を含む。
【０１２８】
制御部２０２は、チャネル状態情報生成部２０５が生成したＣＳＩを基地局装置に送信するように送信部２０３を制御する。
【０１２９】
受信部２０４は、制御部２０２から入力された制御信号に従って、送受信アンテナ２０６を介して基地局装置から受信した受信信号を、分離、復調、復号し、復号した情報を上位層処理部２０１に出力する。
【０１３０】
無線受信部２０４１は、周波数変換、フィルタリング、ＡＤ変換、振幅制御等を用いることで、送受信アンテナ２０６を介して受信された下りリンクの信号をベースバンドのディジタル信号に変換する。
【０１３１】
また、無線受信部２０４１は、変換したディジタル信号からＣＰに相当する部分を除去し、ＣＰを除去した信号に対して高速フーリエ変換を行い、周波数領域の信号を抽出する。
【０１３２】
多重分離部２０４２は、抽出した信号をＰＨＩＣＨ、ＰＤＣＣＨ、ＥＰＤＣＣＨ、ＰＤＳＣＨ、および／または下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。なお、受信信号が第２のフレーム構造を用いて送信された信号であった場合で、第２のフレーム構造では下りリンク制御情報が送信されない場合、多重分離部２０４２は、下りリンク制御情報の検出は行わない。また、制御部２０２は、ＰＤＳＣＨおよび所望信号のチャネル推定値を信号検出部２０４３に出力する。なお、チャネル推定は制御部２０２から入力される自端末装置宛のレイヤ数、アンテナポート番号、スクランブリングアイデンティティに基づいて行う。
【０１３３】
信号検出部２０４３は、ＰＤＳＣＨ、およびチャネル推定値を用いて、下りリンクデータ（トランスポートブロック）を検出し、上位層処理部２０１に出力する。
【０１３４】
端末装置２−１がＮＯＭＡの信号を復調する場合について説明する。電力ｐ１とｐ２の両方又はいずれかが通知される場合、ｐ１に基づいて信号検出を行うことができる。電力ｐ１とｐ２が通知されずｐ１の平方根が端末固有参照信号（あるいはＣＲＳ）に乗算されている場合、その端末固有参照信号（あるいはＣＲＳ）を用いて算出したチャネル推定値を用いて信号検出を行うことで、自身宛のビットを復調することができる。
【０１３５】
端末装置２−２がＮＯＭＡの信号を復調する場合について説明する。電力ｐ１とｐ２の両方又はいずれかが通知される場合、ｐ１とｐ２に基づいて信号検出を行うことができる。この際、式（４）と（５）で変調シンボルが生成されたと判断することができる。あるいは、図７のような変調シンボルが採用されている場合、それに基づいて信号検出を行うことができる。電力ｐ１とｐ２が通知されずｐ２の平方根が端末固有参照信号に乗算されている場合、端末固有参照信号の電力を測定することで、ＮＯＭＡが行われているか否かを判定することができる。また、端末装置２−２はｐ１とｐ２を算出することができる。このｐ１とｐ２に基づいて自身宛のビットを復調することができる。なお、端末装置２−２のＮＯＭＡの復調は、例えば、端末装置２−１宛のビットをまず検出し、該当のリソースエレメントの受信信号から端末装置２−１宛のビットから生成できる受信信号レプリカを減算し、減算を行った後の受信信号から自身宛のビットを復調することができる。
【０１３６】
なお、以下では、電力ｐ１とｐ２の両方が通知されない場合の信号検出部２０４３の処理を説明する。この場合、信号検出部２０４３の処理は、ＮＯＭＡ判断情報に応じて異なる。信号検出部２０４３は、ＮＯＭＡ判断情報に基づき、ＮＯＭＡ信号として復調するか、判断することができる。
【０１３７】
信号処理部２０４３が、ＮＯＭＡ信号として復調しないと判断した場合（例えば、端末装置２−１）について説明する。信号処理部２０４３は、基地局装置１が送信する、端末装置２−１において参照信号（例えば、ＵＲＳ、ＣＲＳ、ＣＳＩ−ＲＳ等）を用いてチャネル推定値を算出する。信号処理部２０４３は、算出したチャネル推定値を用いて、当該端末装置宛てに割り当てられたトランスポートブロックのチャネル補償を行い、情報を復調することができる。
【０１３８】
信号検出部２０４３が、ＮＯＭＡ信号を復調すると判断した場合（例えば、端末装置２−２）について説明する。基地局装置１が送信するＮＯＭＡ信号は、干渉信号（端末装置２−１宛てのＰＤＳＣＨ）を含んでいる。信号処理部２０４３は、ＮＯＭＡ信号として復調すると判断した場合、基地局装置１が、例えば、ＮＯＭＡ信号を図７に示される変調シンボルのラベリング方法（変調マッピング）を用いたものとして復調を行う。図６と図７に示される変調シンボルのラベリング方法（変調マッピング）は、隣接するシンボルが必ずビット系列のうち1ビットのみ異なることから、ビット全体としてグレイ符号を維持することができ、伝送特性改善に繋がる。
【０１３９】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置に送信する。
【０１４０】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１４１】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１４２】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１４３】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。なお、離散フーリエ変換はＰＵＣＣＨやＰＵＳＣＨのサブキャリア数に応じた高速フーリエ変換でもよい。
【０１４４】
無線送信部２０３５は、多重された信号を逆高速フーリエ変換して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成する。無線送信部２０３５は、フィルタリング、ＤＡ変換、周波数変換、電力増幅等を用いることで、生成したベースバンドのディジタル信号を所望帯域のアナログ信号に変換する。無線送信部２０３５は、生成したアナログ信号を送受信アンテナ２０６に出力して送信する。
【０１４５】
上述のような処理を行うことによって、伝送特性を改善することができ、スループットを改善することができる。
【０１４６】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１４８】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１４９】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１５０】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１５１】
本発明は、端末装置、基地局装置、および通信方法に用いて好適である。
【符号の説明】
【０１５２】
１、１−１、２−１  基地局装置
２、２−１、２−２  端末装置
１−１  カバレッジ
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０１３  判断部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2018064128.tif 000005
【図２】
2018064128.tif 000006
【図３】
2018064128.tif 000007
【図４】
2018064128.tif 000008
【図５】
2018064128.tif 000009
【図６】
2018064128.tif 000010
【図７】
2018064128.tif 000011
【図８】
2018064128.tif 000012